(57)【要約】【課題】按摩する箇所を正確に押圧することができるマッサージ機を提供する。【解決手段】マッサージ機は、按摩杆１及びハンドル２を備える。按摩杆１は、延伸杆１１、内湾杆１２及び按摩ブロック１３を有する。延伸杆１１の末端は、ハンドル２と接続される。ハンドル２は、ユーザが手で握るために用い、按摩杆１の延伸杆１１の末端と一端が接続される。延伸杆１１の前端は、湾曲部１１１が下方へ折り曲げられて成形される。湾曲部１１１の前端には、内湾杆１２が形成される。内湾杆１２は、延伸杆１１へ向けて折り曲げられるとともに、フック状に成形される。内湾杆１２と湾曲部１１１との間には、内湾夾角１２１が形成される。内湾杆１２の先端には、按摩ブロック１３が取り付けられる。フック状の内湾杆１２は、特定の内湾夾角１２１の方向及び角度を有し、内湾杆１２により手で加える力が確実に按摩ブロック１３へ伝えられる。【選択図】図１
0003205283.tif 000002
【実用新案登録請求の範囲】
【請求項１】
按摩杆及びハンドルを備えたマッサージ機であって、
前記按摩杆は、延伸杆、内湾杆及び按摩ブロックを有し、前記延伸杆の末端は、前記ハンドルと接続され、
前記ハンドルは、ユーザが手で握るために用い、前記按摩杆の前記延伸杆の末端と一端が接続され、
前記延伸杆の前端は、湾曲部が下方へ折り曲げられて成形され、前記湾曲部の前端には、内湾杆が形成され、前記内湾杆は、前記延伸杆へ向けて折り曲げられるとともに、フック状に成形され、前記内湾杆と前記湾曲部との間には、内湾夾角が形成され、前記内湾杆の先端には、按摩ブロックが取り付けられ、前記按摩ブロックは、円球体であり、
前記フック状の内湾杆は、特定の内湾夾角の方向及び角度を有し、前記内湾杆を介して手で加える力が確実に前記按摩ブロックへ伝えられ、前記按摩ブロックにより背中の按摩する箇所を確実に押圧することを特徴とするマッサージ機。
【請求項２】
前記ハンドルの他端には、ストップブロックが成形されていることを特徴とする請求項１に記載のマッサージ機。
【請求項３】
前記按摩杆の前記延伸杆、前記湾曲部及び前記内湾杆は、金属材料により一体成形され、
前記金属材料は、ステンレス又は亜鉛めっき鋼板であることを特徴とする請求項１に記載のマッサージ機。
【考案の詳細な説明】
【技術分野】
【０００１】
本考案は、マッサージ機に関するものであり、さらに詳しくは、特定の方向及び角度を有し、背中まで延ばしてマッサージを行うマッサージ機に関するものである。
【背景技術】
【０００２】
従来のマッサージ棒は、外形が７字状を呈する棒型マッサージ機が一般的である。このような従来のマッサージ棒には、４つの丸い角を有する四辺形状のハンドルが設けられている。ホルダの第１の端部は、収束状で扁平状に形成された按摩部を有する。ホルダの第２の端部には、按摩フックが連結されている。按摩フックは、ホルダ端部から横方向で延びた横方向延伸部を有する。横方向で延びた端部には、収束形態の扁平状尖部が延びて一体化され、尖部の延伸方向は、ホルダの延伸方向に対して平行である。
【０００３】
従来のマッサージ棒は、按摩フックを背中まで延ばしてマッサージ部又はツボを押圧することができるが、按摩フックの尖部が延びる方向は、ホルダの延伸方向に対して平行である。ユーザがホルダを下方前方へ引くと、尖部の側辺が人体に押付けられるが、尖部の方向及び角度が適切でないため、手により加えられる力が尖部に完全に伝わらなくなって深い箇所まで届かずに背中のツボ又は按摩を施したい箇所に正確に刺激を加えることができず、尖部の方向及び角度を調整しない場合、腕を高く上げてマッサージ機を操作しなければならないため、腕が疲れて痛くなり、操作が困難となり、実用的でなかった。
【考案の概要】
【考案が解決しようとする課題】
【０００４】
従って、本考案の主な課題は、深い箇所を按摩したり、按摩する箇所を正確に押圧することができるマッサージ機を提供することにある。
【課題を解決するための手段】
【０００５】
そこで、本考案者は、前記の本考案の課題を解決するため鋭意検討を重ねた結果、後述のように、本考案に想到するに至った。
すなわち、本考案の第１の形態によれば、按摩杆及びハンドルを備えたマッサージ機であって、前記按摩杆は、延伸杆、内湾杆及び按摩ブロックを有し、前記延伸杆の末端は、前記ハンドルと接続され、前記ハンドルは、ユーザが手で握るために用い、前記按摩杆の前記延伸杆の末端と一端が接続され、前記延伸杆の前端は、湾曲部が下方へ折り曲げられて成形され、前記湾曲部の前端には、内湾杆が形成され、前記内湾杆は、前記延伸杆へ向けて折り曲げられるとともに、フック状に成形され、前記内湾杆と前記湾曲部との間には、内湾夾角が形成され、前記内湾杆の先端には、按摩ブロックが取り付けられ、前記按摩ブロックは、円球体であり、前記フック状の内湾杆は、特定の内湾夾角の方向及び角度を有し、前記内湾杆を介して手で加える力を確実に前記按摩ブロックへ伝え、前記按摩ブロックにより背中の按摩する箇所を確実に押圧することを特徴とするマッサージ機が提供される。
かくして、本考案の要旨は次の通りである。
【０００６】
（１）按摩杆及びハンドルを備えたマッサージ機であって、
前記按摩杆は、延伸杆、内湾杆及び按摩ブロックを有し、前記延伸杆の末端は、前記ハンドルと接続され、
前記ハンドルは、ユーザが手で握るために用い、前記按摩杆の前記延伸杆の末端と一端が接続され、
前記延伸杆の前端は、湾曲部が下方へ折り曲げられて成形され、前記湾曲部の前端には、内湾杆が形成され、前記内湾杆は、前記延伸杆へ向けて折り曲げられるとともに、フック状に成形され、前記内湾杆と前記湾曲部との間には、内湾夾角が形成され、前記内湾杆の先端には、按摩ブロックが取り付けられ、前記按摩ブロックは、円球体であり、
前記フック状の内湾杆は、特定の内湾夾角の方向及び角度を有し、前記内湾杆を介して手で加える力が確実に前記按摩ブロックへ伝えられ、前記按摩ブロックにより背中の按摩する箇所を確実に押圧することを特徴とするマッサージ機。
【０００７】
（２）前記ハンドルの他端には、ストップブロックが成形されていることを特徴とする前記（１）に記載のマッサージ機。
【０００８】
（３）前記按摩杆の前記延伸杆、前記湾曲部及び前記内湾杆は、金属材料により一体成形され、
前記金属材料は、ステンレス又は亜鉛めっき鋼板であることを特徴とする請求項１に記載のマッサージ機。
【考案の効果】
【０００９】
本考案のマッサージ機は、特定の角度及び方向で背中の按摩箇所を押圧することができる。
【図面の簡単な説明】
【００１０】
【図１】図１は、本考案の一実施形態に係るマッサージ機を示す平面図である。
【図２】図２は、本考案の一実施形態に係るマッサージ機により背中を按摩するときの状態を示す説明図である。
【考案を実施するための形態】
【００１１】
図１を参照する。図１に示すように、本考案の一実施形態に係るマッサージ機は、少なくとも按摩杆１及びハンドル２から構成されてなる。
【００１２】
按摩杆１は、延伸杆１１、内湾杆１２及び按摩ブロック１３を備える。延伸杆１１の末端は、ハンドル２と接続される。延伸杆１１の前端は、湾曲部１１１が下方へ折り曲げられて成形される。延伸杆１１の下方へ折り曲げられた湾曲部１１１の前端には、内湾杆１２が形成される。内湾杆１２は、延伸杆１１へ向けて折り曲げられるとともに、フック状に成形され、内湾杆１２と湾曲部１１１との間には、内湾夾角１２１が形成される。内湾杆１２の先端には、按摩ブロック１３が取り付けられる。按摩ブロック１３は、指関節２つ分の大きさを有する円球体である上、延伸杆１１、湾曲部１１１及び内湾杆１２が金属により一体成形されて製作され（例えば、ステンレス、亜鉛めっき鋼板）、延伸杆１１及び内湾杆１２の構造の強度及び靭性を高めることができる。
【００１３】
ハンドル２は、ユーザが手で握るハンドルである。ハンドル２の一端は、按摩杆１の延伸杆１１の末端と接続され、ハンドル２の他端には、ユーザが手で容易に握持できるようにストップブロック２１が成形されている。
【００１４】
図２を参照する。図２に示すように、本考案の一実施形態に係るマッサージ機を実際に使用する際、ユーザは手でハンドル２を握り、延伸杆１１の湾曲部１１１が肩の上を通って背中に至るまで内湾杆１２が延び、ユーザが延伸杆１１及び内湾杆１２を操作し、按摩ブロック１３を背中に押付ける際、延伸杆１１、湾曲部１１１及び内湾杆１２の材料が高強度及び高靭性の金属材料からなるため、延伸杆１１、湾曲部１１１及び内湾杆１２は、手で前方へ引っ張られて作用力が加わっても変形しにくく、内湾杆１２が特定の内湾夾角１２１の方向及び角度を有するため、内湾杆１２を介して手で加えられる力を按摩ブロック１３へ確実に伝え、按摩ブロック１３により背中の按摩する箇所又はツボを確実に押圧する。
【００１５】
上述したことから分かるように、本考案のマッサージ機は、延伸杆の湾曲部の前端にフック状の内湾杆が設けられ、内湾杆は、特定の内湾夾角の方向及び角度を有し、内湾杆を介して手で加える力が確実に按摩ブロックへ伝えられ、按摩ブロックにより背中の按摩する箇所を確実に押圧することができる上、延伸杆、湾曲部及び内湾杆が金属材料からなるため容易に変形せず、特定の角度及び方向で背中の按摩箇所を押圧することができる。
【符号の説明】
【００１６】
１  按摩杆
２  ハンドル
１１  延伸杆
１２  内湾杆
１３  按摩ブロック
２１  ストップブロック
１１１  湾曲部
１２１  内湾夾角
【図１】
0003205283.tif 000003
【図２】
0003205283.tif 000004